(57)【特許請求の範囲】
【請求項１】
熱可塑性合成繊維不織布から形成され、互いに並行する第１面と第２面とを有し、平面形状が実質的に矩形の使い捨ての汚れ拭き取り材であって、
前記第１面が実質的に平坦に形成され、前記第２面が互いに平行な一組の辺のそれぞれに沿った所要幅の側縁域において相対的に低く、かつ、該側縁域間に介在する中間域において相対的に高く形成されており、前記平行な一組の辺に直交する方向における前記中間域の断面形状が台形および矩形のいずれかであり、前記側縁域が加熱・加圧して賦型されていることを特徴とする前記拭き取り材。
【請求項２】
前記側縁域の繊維密度が相対的に高く、前記中間域の繊維密度が相対的に低く形成されている請求項１記載の拭き取り材。
【請求項３】
前記拭き取り材が所要の器具に取り付けて使用するものであり、前記第１面が前記器具に対する当接面、前記第２面が汚れ拭き取り面である請求項１または２に記載の拭き取り材。
【発明の詳細な説明】
【０００１】
【発明が属する技術分野】
この発明は、床面や壁面等の汚れを拭き取るための使い捨ての拭き取り材に関する。
【０００２】
【従来の技術】
特開平４−１１４６２０号公報に開示されたモップ状の掃除具は、長柄と長柄の先端に位置するシート取り付け用基板とを有し、基板の底面を不織布などでできた使い捨ての汚れ拭き取り用シートで覆い、長柄を持ちながらそのシートで床面のごみを拭き取るものである。この基板の平面形状は長方形であって、基板底面は短辺に沿う方向が中高に形成されている。掃除具を使用するときに、底面の中高な部分で床面を強くこすると、床面のごみを掻き取ることができる。また、基板の長辺に沿った底面の側縁部分は床面から離間することが可能であって、離間したときの底面と床面との間で比較的大きなごみを捕集することができる。シート取り付け用基板がこのように中高であると、基板の底面全体が床面に密着する掃除具では捕集することができないような大きなごみの捕集が可能になる。
【０００３】
【発明が解決しようとする課題】
掃除具のシート取り付け用基板の底面が平坦であれば、前記公知の掃除具の捕集効果をあげることができない。しかしながら、基板の底面が平坦な掃除用具は、広く一般に使用されている。
【０００４】
そこで、この発明は、シート取り付け用基板の底面が平坦な掃除具に取り付けると、その底面を中高な状態で使用することを可能にする使い捨ての汚れ拭き取り材の提供を課題にしている。
【０００５】
【課題を解決するための手段】
前記課題を解決するために、この発明においては、熱可塑性合成繊維不織布から形成され、互いに並行する第１面と第２面とを有し、平面形状が実質的に矩形の使い捨ての汚れ拭き取り材であって、前記第１面が実質的に平坦に形成され、前記第２面が互いに平行な一組の辺のそれぞれに沿った所要幅の側縁域において相対的に低く、かつ、該側縁域間に介在する中間域において相対的に高く形成されており、前記平行な一組の辺に直交する方向における前記中間域の断面形状が台形および矩形のいずれかであり、前記側縁域が加熱・加圧して賦型されていることを特徴にしている。
【０００６】
【発明の実施の形態】
添付の図面を参照し、この発明に係る使い捨ての汚れ拭き取り材の詳細を説明すると、以下のとおりである。
【０００７】
図１には、使い捨ての汚れ拭き取り材１を取り付けた掃除具２が斜視図で示されている。掃除具２は、基板３と柄４とを有し、基板３の底面３Ｂに当接した拭き取り材１は、側縁域１６，１７が基板３の頂面３Ａに折り重ねられ、クリップ８で固定されている。かかる状態の掃除具２は、柄４を持ち、拭き取り材１で床面を軽く拭くようにして使用する。
【０００８】
図２に斜視図で示された拭き取り材１は、図１のそれを上下を逆にして伸展したものである。拭き取り材１は、互いに平行な二組の辺１１，１２と１３，１４とを有し、平面形状が長方形または正方形をなす矩形のものであって、基板３の底面３Ｂに当接する底面２１と、床面側に位置する頂面２２とを有する。図示例では、辺１１，１２が辺１３，１４よりも長い長方形のものが示されており、辺１１，１２に沿う幅Ｗ１，Ｗ２を有する側縁域１６，１７の厚みが相対的に薄く、両側縁域１６，１７間に介在して左右端縁１３，１４間に延びる幅Ｗ３を有する中央域１８の厚みが相対的に厚く形成され、中央域１８では頂面２２が隆起した状態にある。拭き取り材１の底面２１は、全体が平坦に形成されている。それゆえ頂面２２は、周縁域１６，１７が相対的に低く、中央域１８が相対的に高い状態にある。
【０００９】
この拭き取り材１は、図１のように基板３に取り付けた状態において、側縁域１６，１７それぞれが、基板３の頂面３Ａに折り重なる部位１６Ａ，１７Ａと、基板３の側縁２４の近傍で底面３Ｂに当接する部位１６Ｂ，１７Ｂとを有する。各部位のうち部位１６Ａ，１７Ａはクリップ８に届くように形成される。部位１６Ｂ，１７Ｂのそれぞれは基板３の幅Ｗの１／１０〜３／１０を占め得るように形成され、中央域１８の幅Ｗ３が残余の幅を占めるように形成されることが好ましい。掃除具２が家庭用のものであれば、中央域１８の幅Ｗ３は８０〜４０ｍｍであることが好ましく、側縁域１６，１７からの高さＨは３〜２０ｍｍであって、５〜１０ｍｍであることがより好ましい。
【００１０】
かかる拭き取り材１は、例えば厚さ３〜２５ｍｍ程度の熱可塑性合成繊維不織布を部分的に加熱・加圧して賦型し、側縁域１６，１７を形成すればよい。このようにして得られる側縁域１６，１７は、中央域１８よりも高密度であり、また繊維がほぐれにくく、拭き取り材１の型崩れを防止し、クリップ８による確実な固定を可能にする。複合繊維が捲縮した状態にある不織布を使用すれば、中央域１８は嵩高で弾力性に富む部位となる。側縁域１６，１７や中央域１８には、所要の油剤を含浸させて、ごみの捕集を容易にすることができる。
【００１１】
この拭き取り材１を使用した図１の掃除具２で床面を拭くときには、中央域１８の頂面２２を床面に当接し、その頂面２２と床面との間に侵入し得る細かい塵埃を中央域１８で捕集する。中央域１８の下に侵入し得ないような比較的大きなごみは、拭き取り材１の部位１６Ｂ，１７Ｂの下に集まるから、部位１６Ｂ，１７Ｂや中央域１８の側面部１８Ａに付着させる他に、それら部位１６Ｂ，１７Ｂと側面部１８Ａとで散逸することがないように囲み床面の一箇所に寄せ集めることができる。中央域１８が適度な固さを有する場合には、該域１８で床面のごみを掻き取ることができる。掻き取り効果を高めるために、中央域１８の端面形状を矩形や台形にしてもよい。
【００１２】
拭き取り材１は、図示例の他に、プラスチックフィルムや不織布などの所要の特性を有するシート材料の片面に中央域１８とすべき不織布やフェルトなどの繊維集合体を接着、溶着、縫合など適宜の手段で接合してもよい。
【００１３】
【発明の効果】
この発明に係る拭き取り材は、底面が平坦であって、互いに平行な両側縁域が相対的に薄く、両側縁域間に介在する中間域が相対的に厚いから、この拭き取り材を使用すると、それを取り付けるための基板の底面が平坦な清掃具を底面が中高なものに変えることができる。
【図面の簡単な説明】
【図１】汚れ拭き取り材を取り付けた清掃具の斜視図。
【図２】汚れ拭き取り材の斜視図。
【符号の説明】
１        汚れ拭き取り材
１６，１７      側縁域
１８      中間域（中央域）
２１      第１面（底面）
２２      第２面（頂面）
【図１】
0003771325.tif 000002
【図２】
0003771325.tif 000003